(57)【要約】【課題】温熱治療及び電気治療の与える刺激を強すぎないようにし安全性を確保した上で、被施療者の要求に応じた治療を行うことができる低周波治療器を提供する。【解決手段】発熱部が動作温度の異なる複数種類の発熱をし、発熱部の発熱設定状態に基づいて過剰な刺激とならない範囲で電気刺激しているので、使用者が自由に発熱を指示し、この指示に従った発熱部の発熱設定状態に基づいて、電気刺激と発熱とが同時に動作したり、電気刺激と発熱とが交互に動作したり、電気刺激と発熱とが一部同時に動作したり、電気刺激の強さが変化したりして、使用者の指示に出来る得るだけ沿って動作することができると共に、過剰な刺激を防止して安全性を担保することができる。【選択図】  図６
2005065732.tif 000002
【特許請求の範囲】
【請求項１】
発熱を生じる発熱部と電気刺激を与える導子部とを有する施療子と、当該施療子の発熱部と導子部とに治療用信号を生成する治療用信号生成部とを備える低周波治療器において、
発熱部が動作温度の異なる複数種類の発熱をし、
発熱部の発熱設定状態に基づいて過剰な刺激とならない範囲で電気刺激することを
特徴とする低周波治療器。
【請求項２】
発熱を生じる発熱部と電気刺激を与える導子部とを有する施療子と、当該施療子の発熱部と導子部とに治療用信号を生成する治療用信号生成部とを備える低周波治療器において、
発熱部が動作温度の異なる少なくとも２種類の発熱をし、動作温度の高い発熱を第１の発熱とし、動作温度の低い発熱を第２の発熱とし、
電気刺激中に第１の発熱を行うように指示を受けた場合、第１の発熱中に電気刺激を行うように指示を受けた場合、若しくは、電気刺激と第１の発熱とを行うように指示を受けた場合に、電気刺激と第１の発熱とを交互に動作させることを特徴とする低周波治療器。
【請求項３】
発熱を生じる発熱部と電気刺激を与える導子部とを有する施療子と、当該施療子の発熱部と導子部とに治療用信号を生成する治療用信号生成部とを備える低周波治療器において、
発熱部が動作温度の異なる複数種類の発熱をし、
電気刺激中に一の動作温度の発熱を行うように指示を受けた場合、一の動作温度の発熱中に電気刺激を行うように指示を受けた場合、若しくは、電気刺激と一の動作温度の発熱とを行うように指示を受けた場合に、一の動作温度が所定温度以上であったとき、電気刺激と一の動作温度の発熱とを交互に動作させることを特徴とする低周波治療器。
【請求項４】
前記請求項１又は２に記載の低周波治療器において、
前記電気刺激と発熱とを交互に動作させるとき、電気刺激の継続動作時間及び発熱の継続動作時間が１秒以上であることを
特徴とする低周波治療器。
【請求項５】
前記請求項１ないし３に記載の低周波治療器において、
前記電気刺激と発熱とを交互に動作させるとき、電気刺激の継続動作時間が発熱の継続動作時間以上であることを
特徴とする低周波治療器。
【請求項６】
前記請求項１ないし４に記載の低周波治療器において、
前記電気刺激と発熱とを交互に動作させるとき、最初の発熱が動作温度に到達するまで継続して行われることを
特徴とする低周波治療器。
【請求項７】
前記請求項１ないし５に記載の低周波治療器において、
前記電気刺激と発熱とを交互に動作させるとき、電気刺激の継続動作時間と発熱の継続動作時間とを調整する調整手段を備えることを
特徴とする低周波治療器。
【発明の詳細な説明】
【０００１】
【発明の属する技術分野】
本発明は、発熱を生じる発熱部と電気刺激を与える導子部とを有する施療子と、当該施療子の発熱部と導子部とに治療用信号を生成する治療用信号生成部とを備える低周波治療器に関し、特に、発熱部の発熱と導子部の電気刺激が過剰とならない低周波治療器に関する。
【０００２】
【従来の技術】
従来の低周波治療器としは、特許第３１１３３８３号公報に掲載されるものがあり、以下図１１に従って説明する。この従来の低周波治療器は、治療用導子の発熱体１８１ａを制御する発熱制御回路１６１ａのみを作動させる温熱モードと発熱制御回路１６１ａ及び治療電流発生回路１６１ｂを作動させる併用モードを選択する選択手段を設け、併用モード選択時、発熱体１８１ａの発熱量を温熱モード選択時より低下させる制御回路１６１ｃを設けたことを特徴とするものである。このように従来の低周波治療によれば、温熱モードを選択すると発熱体１８１ａが発熱し、この温熱モードでは発熱体１８１ａの発熱量が高く、治療用導子１８０が比較的高温となり、高い温熱治療効果が得られ、また、併用モードを選択すると、発熱体１８１ａの発熱による温熱治療と治療電流による電気治療が同時に行われ、その相乗効果により高い治療効果が得られると共に、この併用モードでは発熱体１８１ａの発熱量を低下させているので、温熱治療と電気治療との相乗効果が強くなり過ぎることはない。
【０００３】
【特許物件１】特許第３１１３３８３号公報
【０００４】
【発明が解決しようとする課題】
以上のように従来の低周波治療器は構成されていたため、温熱モードと併用モードがあり、治療用導子の発熱体を単独で使用する温熱モードでは発熱量が高く、この温熱モードの発熱量で治療電流による電気治療が同時に行われると使用者にとって刺激が強くなりすぎ案全性に欠き、そのため発熱による温熱治療及び治療電流による電気治療が同時になされる場合には温熱治療に係る発熱体の発熱量を低下させることにより刺激を強くなりすぎとならないようにするものであるが、ある者は温熱治療の刺激を強く感じ電気治療の刺激を弱く感じ、また、ある者は温熱治療の刺激を弱く感じ電気治療の刺激を強く感じ、発熱による温熱治療と治療電流による電気治療とでは被施療者が受ける刺激というものは各人で異なり、単純に発熱量を下げるという方法だけでは全ての被施療者に刺激が強すぎない治療を提供することが難しいという課題を有する。また、通常、治療電流による電気治療の強さを変更する手段が使用者に提供されており、被施療者が強い電気治療を受けている場合に併用モードとなったとき発熱量の低下が足らず温熱治療及び電気治療の与える刺激が強すぎたり、若しくは、併用モードにより温熱治療及び電気治療を受けている場合に電気治療の強さを変更する手段を用いて治療電流による電気治療の強さを強くすることで温熱治療及び電気治療の与える刺激が強くなるという課題を有する。さらにまた、併用モードで電気治療の強さを変更する手段を用いて治療電流による電気治療の強さを変更しても刺激が強すぎないように電気治療の最大の強さに合わせて発熱による温熱治療の刺激を定めることが考えられるが、このようにすると電気治療の強さが弱い場合に温熱治療及び電気治療の与える刺激が弱いという課題を有する。
【０００５】
そこで、本発明は前記課題を解決すべく、温熱治療及び電気治療の与える刺激を強すぎないようにし安全性を確保した上で、被施療者の要求に応じた治療を行うことができる低周波治療器を提供することを目的とする。
【０００６】
【課題を解決するための手段】
本発明に係る低周波治療器は、発熱を生じる発熱部と電気刺激を与える導子部とを有する施療子と、当該施療子の発熱部と導子部とに治療用信号を生成する治療用信号生成部とを備える低周波治療器において、発熱部が動作温度の異なる複数種類の発熱をし、発熱部の発熱設定状態に基づいて過剰な刺激とならない範囲で電気刺激するものである。このように本発明においては、発熱部が動作温度の異なる複数種類の発熱をし、発熱部の発熱設定状態に基づいて過剰な刺激とならない範囲で電気刺激しているので、使用者が自由に発熱を指示し、この指示に従った発熱部の発熱設定状態に基づいて、電気刺激と発熱とが同時に動作したり、電気刺激と発熱とが交互に動作したり、電気刺激と発熱とが一部同時に動作したり、電気刺激の強さが変化したりして、使用者の指示に出来る得るだけ沿って動作することができると共に、過剰な刺激を防止して安全性を担保することができる。
【０００７】
本発明に係る低周波治療器は、発熱を生じる発熱部と電気刺激を与える導子部とを有する施療子と、当該施療子の発熱部と導子部とに治療用信号を生成する治療用信号生成部とを備える低周波治療器において、発熱部が動作温度の異なる少なくとも２種類の発熱をし、動作温度の高い発熱を第１の発熱とし、動作温度の低い発熱を第２の発熱とし、電気刺激中に第１の発熱を行うように指示を受けた場合、第１の発熱中に電気刺激を行うように指示を受けた場合、若しくは、電気刺激と第１の発熱とを行うように指示を受けた場合に、電気刺激と第１の発熱とを交互に動作させるものである。このように本発明においては、発熱を生じる発熱部と電気刺激を与える導子部とを有する施療子と、当該施療子の発熱部と導子部とに治療用信号を生成する治療用信号生成部とを備え、発熱部が動作温度の異なる少なくとも２種類の発熱をし、動作温度の高い発熱を第１の発熱とし、動作温度の低い発熱を第２の発熱とし、電気刺激中に第１の発熱を行うように指示を受けた場合、第１の発熱中に電気刺激を行うように指示を受けた場合、若しくは、電気刺激と第１の発熱とを行うように指示を受けた場合に、電気刺激と第１の発熱とを交互に動作させているので、複数の動作温度の発熱を使用者の選択に応じて被施療者が受けることができると共に、常に、使用者が操作して電気刺激中に第１の発熱を行うように指示した場合、第１の発熱中に電気刺激を行うように指示した場合、若しくは、電気刺激と第１の発熱とを行うように指示した場合であっても、第１の発熱と電気刺激との同時動作が自動的に回避され、過剰な刺激となって怪我をすることなく被施療者にとって安全であり、施療者にとっても誤操作や確認ミスにより過剰な刺激となることがなく安心して他の作業を行うことができ、例えば、被施療者が老人で施療者がその老人の家族である場合には、施療者が手馴れていない場合など誤操作することがあり、また、体を動かすことすら困難な病人であれば、一人で機器を止めることもできないが、過剰な刺激を被施療者に与えることがなく、安心して利用することができる。なお、電気刺激と第１の発熱とを交互に動作させとあるが、電気刺激と第１の発熱との間に休止期間、電気刺激及び第１の発熱以外の施療が挿入されてもよい。ここで、第２の発熱とは、温熱効果でなく保温効果を有する発熱や貼着状態のひんやり感を防止する効果を有する発熱だけでなく、温熱効果を有する発熱であってもよい。
【０００８】
また、本発明に係る低周波治療器は、発熱を生じる発熱部と電気刺激を与える導子部とを有する施療子と、当該施療子の発熱部と導子部とに治療用信号を生成する治療用信号生成部とを備える低周波治療器において、発熱部が動作温度の異なる複数種類の発熱をし、電気刺激中に一の動作温度の発熱を行うように指示を受けた場合、一の動作温度の発熱中に電気刺激を行うように指示を受けた場合、若しくは、電気刺激と一の動作温度の発熱とを行うように指示を受けた場合に、一の動作温度が所定温度以上であったとき、電気刺激と一の動作温度の発熱とを交互に動作させるものである。このように本発明においては、発熱部が動作温度の異なる複数種類の発熱をし、電気刺激中に一の動作温度の発熱を行うように指示を受けた場合、一の動作温度の発熱中に電気刺激を行うように指示を受けた場合、若しくは、電気刺激と一の動作温度の発熱とを行うように指示を受けた場合に、一の動作温度が所定温度以上であったとき、電気刺激と一の動作温度の発熱とを交互に動作させているので、使用者としては、操作して電気刺激中に一の動作温度の発熱を行うように指示した場合、一の動作温度の発熱中に電気刺激を行うように指示した場合、若しくは、電気刺激と一の動作温度の発熱とを行うように指示した場合であっても、なんら意識することなく、一の動作温度が所定以上であったとき、自動的に電気刺激と一の動作温度の発熱とが交互に動作され、どのような場合であっても、使用者の要求に応じて、過剰な刺激となることを防止しつつ、電気刺激と発熱とを併用して使用することができる。
【０００９】
また、本発明に係る低周波治療器は必要に応じて、前記電気刺激と発熱とを交互に動作させるとき、電気刺激の継続動作時間及び発熱の継続動作時間が１秒以上であるものである。このように本発明においては、前記電気刺激と発熱とを交互に動作させるとき、電気刺激の継続動作時間及び発熱の継続動作時間が１秒以上であるので、１秒未満であると電気刺激と発熱との１回の治療時間があまりにも短く、具体的には、電気刺激を受けこの刺激が残存している内に発熱の刺激がを受け、又は、発熱の刺激を受けこの刺激が残存している内に電気刺激を受け、すなわち電気刺激と発熱の刺激が被施療者にとって同時に受けることに等しくなり、結果的に刺激が過大になることを防止することができず、１秒以上であれば被施療者は切り替わる前の治療の刺激の影響を受けることなく切り替わった後の治療の刺激を受け刺激が過大となることがなく安全性を確保することができる。
【００１０】
また、本発明に係る低周波治療器は必要に応じて、前記電気刺激と発熱とを交互に動作させるとき、電気刺激の継続動作時間が発熱の継続動作時間以上であるものである。このように本発明においては、前記電気刺激と発熱とを交互に動作させるとき、電気刺激の継続動作時間が発熱の継続動作時間以上であるので、電気刺激を受けたときその刺激は痛みを感じない限りは即座に消えてしまうのに比べ、発熱の刺激は痛みを感じなくとも暫くの間残存し、これは発熱の場合は施療子の温度が一気に低下するわけでなく徐々に低下し、所定レベル以下になるまでは施療者が発熱の刺激を感じるからであり、このように発熱の刺激は残存し電気刺激は残存しにくく電気刺激を発熱の継続動作時間より長くして長い間刺激することで被施療者は発熱の刺激と電気刺激とを平等に受けることができる。
【００１１】
また、本発明に係る低周波治療器は必要に応じて、前記電気刺激と発熱とを交互に動作させるとき、最初の発熱が動作温度に到達するまで継続して行われるものである。このように本発明においては、前記電気刺激と発熱とを交互に動作させるとき、最初の発熱が動作温度に到達するまで継続して行われるので、電気刺激と発熱とを交互に動作させる前に発熱がなかった場合に、施療子は貼着直後であれば室温の温度と略同程度、又は、施療子が貼着されて暫く経過していれば体温と同程度であり、電気刺激と発熱とを交互に動作させるときで発熱を始めて行ったときにでも施療子を動作温度まで上昇させることができ、交互に動作させる開始直後から円滑に温熱治療を行うことができる。また、最初の発熱が動作温度まで達して通常の発熱の治療をするまで継続して行われることとすることもでき、最初の発熱から完全な温熱治療を被施療者が受けることができる。なお、前記電気刺激と第１の発熱とを交互に動作させるとき、電気刺激の継続動作時間が発熱の継続動作時間以上とするとしたが、この場合において、最初の発熱が動作温度に到達するまでの継続動作時間は例外として扱い、この最初の発熱直後の電気刺激の継続動作時間が最初の発熱が動作温度に到達するまでの継続動作時間以上となる必要はない。
【００１２】
また、本発明に係るは必要に応じて、電気刺激と発熱とを交互に動作させるとき、電気刺激の継続動作時間と発熱の継続動作時間とを調整する調整手段を備えるものである。このように本発明においては、電気刺激と発熱とを交互に動作させるとき、電気刺激の継続動作時間と発熱の継続動作時間とを調整する調整手段を備えるので、使用者は調整手段に関連付いているダイヤル等を用いて容易に電気刺激の継続動作時間と発熱の継続動作時間とを調整することができ、電気刺激の治療と発熱の治療とを受けたい場合に、電気刺激の治療の割合を多くしたいとき、電気刺激の継続動作時間を長くすることで実現でき、他方で、温熱の治療の割合を多くしたいとき、発熱の継続動作時間を長くすることで実現き、利用者の多様なニーズに合わせた治療を提供することができる。
【００１３】
【発明の実施の形態】
（本発明の第１の実施形態）
本発明の第１の実施形態に係る低周波治療器について図に基づいて説明する。図１は本実施形態に係る低周波治療器の蓋部が閉じた状態の斜視図、図２は本実施形態に係る低周波治療器の蓋部が開いた状態の斜視図、図３は本実施形態に係る低周波治療器の背面斜視図、図４は本実施形態に係る低周波治療器のスイッチ部の正面図、図５は本実施形態に係る低周波治療器の制御部のブロック構成図、図６は本実施形態に係る低周波治療器のフィルター方式適用の波形図、図７は本実施形態に係る低周波治療器のＲＯＭの記憶内容模式図、図８は本実施形態に係る低周波治療器のアペンド方式適用の波形図である。
【００１４】
前記各図において本実施形態に係る低周波治療器は、開閉可能で液晶ディスプレイ１１を配設された蓋部１と、スイッチを複数配設されたスイッチ部２と、ある程度の収納力を有する収納部３と、交流を直流に変換するＡＣアダプター４と、このＡＣアダプター４を収納可能なＡＣアダプター収納部５と、前記ＡＣアダプター４と接続し電源ジャックからの電力を供給する電源ケーブル７と、発熱を生じる発熱部８１ａと電気刺激を与える導子部８１ｂとを有する施療子と、当該施療子の発熱部８１ａと導子部８１ｂとに治療用信号を生成する治療用信号生成部６１ｃを有する制御部６とを備え、治療用信号生成部６１ｃの治療用信号の出力により発熱部８１ａが動作温度の異なる少なくとも２種類の発熱をし、動作温度の高い発熱を第１の発熱である温熱の発熱とし、動作温度の低い発熱を第２の発熱であるヒータの発熱とし、電気刺激中に温熱の発熱を行うように指示を受けた場合、温熱の発熱中に電気刺激を行うように指示を受けた場合、若しくは、電気刺激と温熱の発熱とを行うように指示を受けた場合に、電気刺激と温熱の発熱とを交互に動作させる構成である。温熱の発熱は温熱効果を有する発熱のことであり、ヒータの発熱は組パッドの保温効果を有する発熱のことである。
前記蓋部１は、上面の両サイドを除く中央部に位置し、本体の一辺で枢設され、内面に液晶ディスプレイ１１を有し、開いた状態で液晶ディスプレイ１１が表れるようになっている。
【００１５】
前記収納部３は、図２に示すように、左側面から引き出し可能で奥方向にマグネット３１が配設され、このマグネット３１と逆の極性のマグネット（図示しない）が本体の収納部３を挿入する位置に、配設され、挿入時に、ある程度の力で引かなければ収納部３が引き出せないようになっており、低周波治療器本体を持ち運びして本体が斜めになったぐらいでは収納部３が自然に引き出されることない。また、この収納部３には、組パッド８等の施療子を収納することができる。他にも、交換用の替パッド８４を収納できる他、収納部３の収納の大きさ内のものであれば、取り扱い説明書等も収納することができる。
【００１６】
前記スイッチ部２は、図４に示すように、「電源入／切」ボタン２ａ、「肩」ボタン２ｂ、「背」ボタン２ｃ、「腰」ボタン２ｄ、「腕・脚」ボタン２ｅ、「関節」ボタン２ｆ、「マイメモリー」ボタン２ｇ、「機能」ボタン２ｈ、「開始／停止」ボタン２ｉ、「一時停止」ボタン２ｊ、「ロック」ボタン２ｋ、「１５分／３０分」ボタン２ｌ、「強さ」ダイヤル２ｍ、「極性切替」ボタン２ｎ、「連続／断続」ボタン２ｏ、「メモリー」ボタン２ｐ、「速さ」ボタン２ｑ、「温熱治療」ボタン２ｒ、「ヒータ」ボタン２ｓ、「予熱」ボタン２ｔ、「入／切」ボタン２ｕ、「強／弱」ボタン２ｖ、及び、「１５分／３０分」ボタン２ｗからなる。
【００１７】
「電源入／切」ボタン２ａは、電源を入切するためのボタンである。「肩」ボタン２ｂ、「背」ボタン２ｃ、「腰」ボタン２ｄ、「腕・脚」ボタン２ｅ及び「関節」ボタン２ｆは、自動コース選択のためのボタン（自動コースボタン）である。「マイメモリー」ボタン２ｇは、メモリー機能により予め記録されている施療内容を呼び出すためのボタンである。「機能」ボタン２ｈは、治療内容を波形を元に選択する際に使用するためのボタンである。「開始／停止」ボタン２ｉは、低周波治療を行う際に治療開始のトリガとして使用するためのボタンである。「一時停止」ボタン２ｊは、すべての出力（低周波・温熱）を一時的に停止するためのボタンである。「ロック」ボタン２ｋは、ボタンを押下することにより、治療中の誤操作防止のために、キー入力及びダイヤル入力を受け付けなくするためのボタンである（但し、「電源入／切」ボタンと「開始／停止」ボタンだけは受け付ける）。「１５分／３０分」ボタン２ｌは、治療時間の設定値を１５分若しくは３０分に交互に切り換えるためのボタンである。「強さ」ダイヤル２ｍは、低周波治療の刺激の強さを調節するためのダイヤルである。「極性切替」ボタン２ｎは、「標準（＋）」、「反転（−）」、「交互」若しくは「同時」と組パッドによる体感を変わらせるためのボタンである。「連続／断続」ボタン２ｏは、「断続」若しくは「連続」に切り換えるためのボタンである。「メモリー」ボタン２ｐは、使用時間、極性、連続断続設定等の動作属性とともに、カスタムコースの内容として記憶し、再生するためのボタンである。「速さ」ボタン２ｑは、治療のテンポを速くしたり遅くしたりするためのボタンである。「温熱治療」ボタン２ｒは、組パッド内蔵ヒータにて温熱治療を行うためのボタンである。「ヒータ」ボタン２ｓは、低周波治療時に組パッド内蔵ヒータにごくわずかに通電し、組パッドの保温効果を高めるためのボタンである。「予熱」ボタン２ｔは、組パッドを身体に貼る際のひんやり感を防ぐため、事前に組パッドの粘着パッドを温めおくためのボタンである。「入／切」ボタン２ｕは、温熱治療マットの通電入／切を切り換えるためのボタンである。「強／弱」ボタン２ｖは、温熱治療マット使用時の温熱治療の強弱を切り換えるためのボタンである。「１５分／３０分」ボタン２ｗは、温熱治療マットを用いた温熱治療の治療時間を切り換えるためのボタンである。
【００１８】
前記ＡＣアダプター４は、ＡＣアダプタープラグ７３を接続するためのＡＣアダプタージャック４１と、交流から直流に変換する変換部と、直流にした電流を出力するための直流ジャック４２とからなる。また、直流ジャック４２と本体に配設された供給口ジャック４３とを接合する直流ケーブル４４がある。
【００１９】
前記ＡＣアダプター収納部５は、底面で収納部、いくつかの形状の異なるＡＣアダプター４を収納できる。形状の異なるＡＣアダプター４とは、ＡＣアダプター４も出力内容によって大きさがことなり、通常、高出力であればあるほど大きさが大きくなり発熱量も大きい。例えば、温熱治療をするにあたっては、大きな出力を要するために、高出力のＡＣアダプター４が必要となって大きなＡＣアダプター収納部５も要し、低周波治療のみであれば温熱治療をするほど出力が必要とならず、温熱治療時のＡＣアダプター４より低出力のＡＣアダプター４でよく同様にＡＣアダプター収納部５も小さくて済む。すなわち、ＡＣアダプター収納部５は、この２種類の大きさのＡＣアダプター４に対応可能となっておく必要がある。また、これは、単に施療者が温熱治療をするか否かで、ＡＣアダプター４を選別する場合に活用できるだけでなく、ある金型でＡＣアダプター収納部５を成形し温熱治療機能を有する低周波治療器として製造し、同一の金型で温熱治療機能を有しない低周波治療器も製造することができる。これは、ＡＣアダプター収納部５がどちらのＡＣアダプター４にも対応していることにより可能となった。この具体例では２つのＡＣアダプター４について説明したが、これに限らず、より多くのＡＣアダプター４に対応したＡＣアダプター収納部５を形成することもできる。また、このＡＣアダプター収納部５には、蓋５３が付いており、低周波治療器を裏返しにして、ＡＣアダプター４をＡＣアダプター収納部５に収納して、蓋５３をすることで低周波治療器を表にしたときにＡＣアダプター４が低周波治療器から外れないようにしている。また、蓋５３には、いくつかの仕切り５４が用意され、ＡＣアダプター収納部５の空間で収納時のＡＣアダプター４が占有していない空間を仕切り５４が占有することで、本低周波治療器を移動させた場合にもＡＣアダプター４が動くことがない。本低周波治療器底面のＡＣアダプター収納部５の蓋５３に近接してツマミ５１が設けてあり、この本体のツマミ５１と蓋のツマミ穴５５とが係合することで蓋５３が容易に固定され、この本体のツマミ５１にはスライダー５２が設けられ、スライダー５２をスライドさせると本体のツマミ５１が引っ込み係合が解かれ、蓋５３が容易に開くようになっている。
【００２０】
制御部６は、図５に示すように、低周波治療器信号を出力等する回路基盤６１と、スイッチのオンオフを検出するスイッチ用基盤６２からなり、スイッチ用基盤６２がスイッチ部２の下に配設され、回路基板６１がこのスイッチ用基盤６２の下に配設されており、二段重ねの基盤からなる構成である。スイッチ用基盤６２が、前記スイッチ部２の各ボタンのどのボタンが押下されたかを回路基盤６１に伝達する。回路基盤６１は、各種制御を行うマイコン６１ａと、マイコン６１ａが読み出す身体表示情報及び文字表示情報を記録するＲＯＭ６１ｂと、治療用信号を生成する治療用信号生成部６１ｃと、ＡＣアダプター４から供給される電気を各部位に分配する電気回路６１ｄ等からなる。ＲＯＭ６１ｂには、治療用信号生成部６１ｃが読み出すマッサージ情報も記録しており、治療用信号生成部６１ｃはかかるマッサージ情報に基づいて治療用信号を生成する。なお、回路基盤６１とスイッチ用基盤６２とが一体となっているもの、回路基盤６１にスイッチ用基盤６２が包含されているものもある。制御部６は、このように二段重ねの基盤からなる構成としたが、これに限定されることなく、当然に一つの基盤からなる構成でもよい。
【００２１】
マイコン６１ａは、ケーブル若しくはバス（図示しない）でＲＯＭ６１ｂ、液晶ディスプレイ１１、治療用信号生成部６１ｃ、スイッチ部２、ＬＥＤランプと接続され、信号を送受信している。マイコン６１ａがＲＯＭ６１ｂに格納されている表示信号やマッサージ情報を読出しており、従って、ケーブル若しくはバス上はこれら表示情報やマッサージ情報が送受されており、その他にマイコン６１ａがＲＯＭ６１ｂに対して指定した情報を読出し可能となるようにＲＯＭ６１ｂに対する制御信号がマイコン６１ａからＲＯＭ６１ｂに対して送信されている。マイコン６１ａがＲＯＭ６１ｂから読み出したマッサージ情報を治療用信号生成部６１ｃに送信する。マイコン６１ａがＲＯＭ６１ｂから読み出した表示情報を液晶ディスプレイ１１に送信する。ここで、マイコン６１ａは、ＲＯＭ６１ｂから読み出した表示情報をそのまま液晶ディスプレイ１１に送信する以外に、表示情報に対して情報処理を施して表示情報を液晶ディスプレイ１１に送信することもでき、例えば、通常だと身体の一部のみが表示される身体表示情報に対して情報処理を施すことにより身体の一部のみを色を変更した表示情報として液晶ディスプレイ１１に送信することができる。マイコン６１ａは、スイッチ部２からどのスイッチが押下されたかの情報を受信し、ＬＥＤランプに対しては特定のＬＥＤランプを点灯させたり消灯させたりする制御信号を送信する。
【００２２】
治療用信号生成部６１ｃは、ＲＯＭ６１ｂに記録されているマッサージコースに対応するマッサージ情報をマイコン６１ａを介して受信し、このマッサージ情報に基づいて治療用信号を生成する。生成した治療用信号は接続している治療子である組パッド８に出力される。ここで、組パッド８は２つ用意されている。組パッド８が本低周波治療器に接続されている場合に点灯し、接続されていない場合に消灯する接続ＬＥＤランプ１０と、接続している組パッド８が温熱治療を行っている場合に点灯し、行っていない場合に消灯する温熱治療ＬＥＤランプ１１とが、液晶ディスプレイ１１の下部にそれぞれＬＥＤランプが計４つ用意されている。接続ＬＥＤランプ１０と温熱治療ＬＥＤランプ１１とが１組となって、それぞれ組パッド８Ａ及び組パッド８Ｂに対応している。組パッド８Ａには接続ＬＥＤランプ１０Ａ、温熱治療ＬＥＤランプ１１Ａが対応し、組パッド８Ｂには接続ＬＥＤランプ１０Ｂ、温熱治療ＬＥＤランプ１１Ｂが対応している。
【００２３】
組パッド８は、２枚のパッド８１と、治療用信号生成部が出力される治療用信号をパッド８１に伝達する治療用信号コード８２と、低周波治療器本体のジャック９と接続するパッドプラグ８３となる。この組パッド８には、コンパクトに収納することを可能とするコードリール８５がある。このコードリール８５は、両面にパッド８１を貼着できる貼着部８５ａを備え、この２つの貼着部８５ａの間に治療用信号コードを巻き入れる溝であるリール部８５ｂが形成されている。さらに、詳細には、このリール部の幅がパッドプラグ８３の手持ち部分の径より若干狭くなっており、組パッド８の２枚のパッド８１をコードリールの貼着部に貼着し、治療用信号コード８２をリール部に巻き取った後、パッドプラグ８３の手持ち部分をリール部に嵌入させて巻き取り状態を保持することができる。このように巻き取り状態を保持することができ、簡単に治療用信号コード８２がばらけたりせず、収納部３に容易に収納することができる。前記治療用信号生成部６１ｃは、発熱用信号生成部と導子用信号生成部とに分かれて構成されている。マイコン６１ａを介してＲＯＭ６１ｂからマッサージ情報を治療用信号生成部６１ｃが受け取るが、マッサージ情報も発熱部８１ａに関するマッサージ情報と導子部８１ｂに関するマッサージ情報とに分かれ、マイコン６１ａにより、発熱部８１ａに関するマッサージ情報が発熱用信号生成部６１ｃｉに出力され、導子部８１ｂに関するマッサージ情報が導子用信号生成部６１ｃｉｉに出力される。発熱用信号生成部６１ｃｉが入力された発熱部８１ａに関するマッサージ情報に基づいて発熱部８１ａに関する治療用信号が生成され、導子用信号生成部６１ｃｉｉが入力された導子部８１ｂに関するマッサージ情報に基づいて導子部８１ｂに関する治療用信号が生成される。
【００２４】
この組パッド８は、発熱を生じる発熱部８１ａと電気刺激を与える導子部８１ｂとを有する施療子であり、詳細にはパッド８１に発熱部８１ａと導子部８１ｂとを有し、治療用信号コード８２も２系統に分かれ、１系統が発熱部８１ａに発熱部８１ａに関する治療用信号を送るためであり、残りの１系統が導子部８１ｂに導子部８１ｂに関する治療用信号を送るためである。
【００２５】
発熱部８１ａに関する治療用信号を２種類用意し、動作温度の高い発熱部８１ａに関する治療用信号を温熱信号とし、動作温度の低い発熱部８１ａに関する治療用信号をヒータ信号とする。利用者がスイッチ部２の「温熱治療」ボタン２ｒを押下すると、「温熱治療」ボタン２ｒを押下されたことをスイッチ部２がマイコン６１ａに出力し、マイコン６１ａがＲＯＭ６１ｂから発熱部８１ａに関するマッサージ情報を読出し発熱部信号生成部６１ｃｉに出力し、発熱部信号生成部６１ｃｉが発熱部８１ａに関するマッサージ情報に基づいて温熱信号を発熱部８１ａに出力する。一方、利用者がスイッチ部２の「ヒータ」ボタン２ｓを押下すると、「ヒータ」ボタン２ｓを押下されたことをスイッチ部２がマイコン６１ａに出力し、マイコン６１ａがＲＯＭ６１ｂから発熱部８１ａに関するマッサージ情報を読出し発熱部信号生成部６１ｃｉに出力し、発熱部信号生成部６１ｃｉが発熱部８１ａに関するマッサージ情報に基づいてヒータ信号を発熱部８１ａに出力する。
【００２６】
電気刺激及び温熱の発熱との指示を受けた場合とは、本実施形態においては、導子部８１ｂによる電気刺激を与えているときに「温熱治療」ボタン２ｒを利用者が押下したとき、若しくは、発熱部８１ａによる温熱の発熱を生じているときに電気刺激に関するスイッチ部２（「肩」ボタン２ｂ、「背」ボタン２ｃ等）を利用者が押下したときがある。ここで、電気刺激及び温熱の発熱との指示を与えるスイッチが配設されていた場合には、そのスイッチを押下した場合も含まれる。これらのときに、マイコン６１ａが、電気刺激と温熱の発熱とを交互に動作させる。電気刺激と温熱の発熱とを交互に動作させるには、マイコン６１ａが、スイッチ部２の出力を受けて、それに応じた発熱部８１ａに関するマッサージ情報及び導子部８１ｂに関するマッサージ情報を読出しそれぞれ発熱部用信号生成部６１ｃｉ及び導子部用信号生成部６１ｃｉｉに出力することが必要であるが、そのまま出力した場合、温熱の発熱が生じると共に電気刺激を与えるために被施療者に過大な刺激を与えてしまうので、例えば、マイコン６１ａが読み出した発熱部８１ａに関するマッサージ情報及び導子部８１ｂに関するマッサージ情報に対して特別な出力の処理を施す必要がある。マイコン６１ａは、ＲＯＭ６１ｂからマッサージ情報を読み出す前から、電気刺激及び温熱の発熱との指示を受けた場合であるとスイッチ部２の出力により判断でき、マッサージ情報を読み出す前に、予め、ＲＯＭ６１ｂに格納されている発熱部８１ａの継続動作時間及び導子部８１ｂの継続動作時間を読出す。そして、マイコン６１ａは、継続動作時間をカウントし、発熱部８１ａの継続動作時間内は発熱部８１ａに関するマッサージ情報の出力を行い発熱部８１ａの継続動作時間外は発熱部８１ａに関するマッサージ情報の出力を行なわない。一方、マイコン６１ａは、同様に、継続動作時間をカウントし、導子部８１ｂの継続動作時間内は導子部８１ｂに関するマッサージ情報の出力を行い導子部８１ｂの継続動作時間外は導子部８１ｂに関するマッサージ情報の出力を行なわない。発熱部８１ａの継続動作時間と導子部８１ｂの継続動作時間とを交互に設けることで、電気刺激と温熱の発熱とを交互に動作させるができる。この場合には、導子部８１ｂに関するマッサージ情報は、導子部８１ｂに関するマッサージ情報が出力されていないときであっても、時間が経過しており、全体としての導子部８１ｂに関するマッサージ情報のマッサージ時間は変わらない。このように電気刺激と温熱の発熱とを交互に動作させる方式をフィルター方式とする（図６参照）。このフィルター方式以外に、アペンド方式（図８参照）があり、この方式は、導子部８１ｂに関するマッサージ情報と発熱部８１ａに関するマッサージ情報とを結合させて、順次、マッサージ情報を処理するもので、別途時間の経過をカウントする必要がないが、マッサージ情報を結合したものとなっているためマッサージ情報のマッサージ時間は、導子部８１ｂに関するマッサージ情報のマッサージ時間と発熱部８１ａに関するマッサージ情報のマッサージ時間との和に等しくなる。図６（ｂ）と図８（ｂ）を比較すると、図８の総時間が発熱部８１ａの継続動作時間分だけ長くなっていることが分かる。なお、図６（ｂ）（ｃ）及び図８（ｂ）中の導子部８１ｂの波形中、点線は導子部８１ｂに治療用信号が出力されず電気刺激が行われていないことを示す。
【００２７】
電気刺激及びヒータの発熱との指示を受けた場合とは、本実施形態においては、導子部８１ｂによる電気刺激を与えているときに「ヒータ」ボタン２ｓを利用者が押下したとき、若しくは、発熱部８１ａによるヒータの発熱を生じているときに電気刺激に関するスイッチ部２（「肩」ボタン２ｂ、「背」ボタン２ｃ等）を利用者が押下したときがある。ここで、電気刺激及びヒータの発熱との指示を与えるスイッチが配設されていた場合には、そのスイッチを押下した場合も含まれる。これらのときに、マイコン６１ａが、電気刺激とヒータの発熱とを同時に動作させる。電気刺激とヒータの発熱とを同時に動作させるには、マイコン６１ａが、スイッチ部２の出力を受けて、それに応じた発熱部８１ａに関するマッサージ情報及び導子部８１ｂに関するマッサージ情報を読出しそれぞれ発熱部用信号生成部６１ｃｉ及び導子部用信号生成部６１ｃｉｉに出力することで、発熱部用信号生成部６１ｃｉが発熱部に関するマッサージ情報に基づいてヒータ信号を発熱部８１ａに出力して発熱部８１ａが発熱し、それと同時に導子部用信号生成部６１ｃｉｉが導子部に関するマッサージ情報に基づいて導子部に関する治療用信号を導子部８１ｂに出力して導子部８１ｂが電気刺激を与える。
【００２８】
また、「温熱治療」ボタン２ｒを押下して温熱治療を行っている最中には、「温熱治療」ボタンに隣接して形成されている温熱治療ＬＥＤランプ２Ｒが点灯し、温熱治療を停止した場合に温熱治療ＬＥＤランプ２Ｒが消灯する。同様に、「ヒータ」ボタン２ｓを押下して暖めている最中には、「ヒータ」ボタン２ｓに隣接して形成されているヒータＬＥＤランプ２Ｓが点灯し、ヒータを停止した場合若しくは組パッド８のヒータが終わった場合にはヒータＬＥＤランプ２Ｓが消灯する。また、同様に、「予熱」ボタン２ｔを押下して暖めている最中には、「予熱」ボタン２ｔに隣接して形成されている予熱ＬＥＤランプ２Ｔが点灯し、予熱を停止した場合若しくは予熱が終わった場合には予熱ＬＥＤランプ２Ｔの消灯する。
【００２９】
電源ケーブル７は、電源コンセント（図示しない）に差し込む電源プラグ７１を一端に有し、他端にＡＣアダプタージャック４１に差し込むＡＣアダプタープラグ７３有し、この電源プラグ７１とＡＣアダプタープラグ７３の間にケーブル７２が位置している。
【００３０】
次に、本実施形態に係る低周波治療器の使用動作について説明する。この使用動作において、ＲＯＭ６１ｂに格納されている発熱部８１ａに関するマッサージ動作継続時間が１５秒であり、導子部８１ｂに関するマッサージ動作継続時間が４５秒であるとする。また、マイコン６１ａがカウントを必要とするフィルター方式によるものだとする。ＲＯＭ６１ｂに格納されている情報は、図７の通りであり、右矢印の矢元のａないしｉはアドレス番地を示す。ＲＯＭ６１ｂ上のアドレス番地とスイッチ部２の各スイッチとが関連づけてあり、スイッチ部２の出力がマイコン６１ａに入力され、マイコンは出力に応じたアドレス番地を引数としてＲＯＭ上の情報を読み出す。具体的には、「温熱治療」ボタン２ｒを使用者が押下すると、マイコン６１ａにかかるボタンが押下されたことが入力され、マイコン６１ａはａ番地の情報をＲＯＭ６１ｂから読出し、４５［℃］の発熱部８１ａに関するマッサージ情報を発熱部信号生成部６１ｃｉに出力し、発熱部信号生成部６１ｃｉは４５［℃］の温熱信号をパッド８１の発熱部８１ａに出力し、発熱部８１ａは４５［℃］を動作温度として４５［℃］まで上昇する。
【００３１】
施療者は、本低周波治療器のＡＣアダプター７の電源プラグ７１をコンセントに差し込む。ここで、既に、ＡＣアダプター４は、ＡＣアダプター収納部５に収納されているものとする。施療者は、組パッド８のパッドプラグ８３を低周波治療器のジャック９Ａに差し込む。ここで、ジャック９は、ジャック９Ａ及びジャック９Ｂがあり、かかるジャック９Ａに組パッド８のパッドプラグ８３を差し込むことでこの組パッド８は組パッド８Ａとなり、ジャック９Ｂに組パッド８のパッドプラグ８３を差し込むことでこの組パッド８は組パッド８Ｂとなる。施療者は「ＯＮ／ＯＦＦ」ボタン１ａを押下し、本低周波治療器の電源を入れる。電源が入ることで、マイコン６１ａは自動的にＲＯＭ６１ｂから初期画面の表示情報を読出し液晶ディスプレイ１１に出力し、この液晶ディスプレイ１１がこの初期画面を表示する。また、電源が入ることで組パッド８のパッドプラグ８３がジャック９Ａに差し込まれているので、接続ＬＥＤランプ１０Ａが点灯し、このパッドプラグが差し込まれた組パッド８は組パッド８Ａとなる。この接続ＬＥＤランプ１０Ａがあることで、施療者は、画面を見て組パッド８Ａが適切に接続されていることを確認することができる。したがって、組パッド８のパッドプラグ８３がジャック９Ａに差し込まれていない場合、若しくは、適切に差し込まれていない場合、接続ＬＥＤランプ１０Ａが点灯せず、施療者は、組パッド８のパッドプラグ８３がジャック９Ａに差し込まれていない、若しくは、適切に差し込まれていないということに気付くこととなる。初期画面の表示した後に、次に、マイコン６１ａがＲＯＭ６１ｂから「自動コース又は手動を、自動コースボタン又は「機能」ボタンを押下して選択して下さい。」との文字表示情報を読出し液晶ディスプレイ１１に表示する。
【００３２】
施療者が自動コースボタンを押下した場合には、まず、かかる自動コースボタンに該当する身体表示情報をマイコン６１ａがＲＯＭ６１ｂより読出し液晶ディスプレイ１１に表示する。身体表示情報には身体の図以外に組パッド８をどこに貼着すればよいかの情報が含まれ、液晶ディスプレイ１１に表示された身体には組パッド８を貼着すべき位置が表示された身体上に重ねて表示されている。さらに、「表示している貼着位置に組パッドを貼着し、開始ボタンを押下して下さい。」との文字表示情報をマイコン６１ａがＲＯＭ６１ｂから読出し、この身体が表示されている液晶ディスプレイ１１に表示する。施療者は、液晶ディスプレイ１１の身体及び文字の表示を見て、液晶ディスプレイ１１に表示された貼着位置と同様の被施療者の身体の位置に貼着し、「開始」ボタン２ｉを押下する。マイコン６１ａは、「開始」ボタン２ｉが押下されると、組パッド８がジャック９に差し込まれていることを確認し、さらに、人体検出をし組パッド８が被施療者に貼着されていることを確認し、組パッド８のパッドプラグ８３がジャック９に差し込まれ、且つ、被施療者に組パッド８のパッド８１が貼着されている場合にのみ、マイコン６１ａが被施療者が押下した自動コースボタンに対応するマッサージ情報をＲＯＭ６１ｂから読出し、治療用信号生成部６１ｃに出力する。治療用信号生成部６１ｃは、入力されるマッサージ情報に基づいて治療用信号を組パッド８に出力する。なお、組パッド８がジャック９に差し込まれていない場合、又は、組パッド８が人体に貼着されていない場合には、その旨マイコン６１ａがＲＯＭ６１ｂから文字表示情報を読出し液晶ディスプレイ１１に表示することで施療者に伝える。ここで、人体検出は、組パッド８の一方のパッド８１と他方のパッド８１とが導通していれば、人体に貼着されている状態であると判断し、導通していなければ、人体に貼着されていない状態であると判断する。
【００３３】
このように液晶ディスプレイ１１の表示に従えば、パッド８１の導子部による治療、すなわち、電気刺激を与えることができる。一方、パッド８１の発熱部８１ａによる治療、すなわち、発熱を生じることによる治療は、「温熱治療」ボタン２ｒ若しくは「ヒータ」ボタン２ｓを押下することで行われる。この「温熱治療」ボタン２ｒ若しくは「ヒータ」ボタン２ｓは、低周波治療器の電源が入っていれば、いつでも有効であり、発熱部８１ａによる治療を行うことができる。なお、前記導子部による治療と同様に幾つかのステップを液晶ディスプレイ１１の表示にしたがって行い、発熱部８１ａの治療を行うことができる。
【００３４】
ここまでは、導子部８１ｂによる治療と発熱部８１ａによる治療の別々の使用動作について説明したが、これより電気刺激及び温熱の発熱との指示を受けた場合の使用動作について、特に、導子部８１ｂによる電気刺激を与えているときに「温熱治療」ボタン２ｒを利用者が押下したときについて説明する。例えば、「自動コースボタン又は「機能」ボタンを押下して選択して下さい。」との液晶ディスプレイ１１の表示を見て、施療者が「肩」ボタン２ｂを押下すると、肩周辺の身体表示情報をマイコン６１ａがＲＯＭ６１ｂより読出し液晶ディスプレイ１１に表示する。この液晶ディスプレイ１１での表示において、肩周辺の表示上に組パッド８のパッド８１をどの位置に貼るべきかの貼着位置を示し、さらに、「表示している貼着位置に組パッドを貼着し、開始ボタンを押下して下さい。」と表示されている。この表示に対応して、施療者が表示の貼着位置と同位置の被施療者の身体上へ組パッド８のパッド８１を貼着し、「開始／停止」ボタン２ｉを押下する。これにより、低周波治療が始まる。この後、導子部８１ｂによる治療である低周波治療中に、低周波治療施療者が、「温熱治療」ボタン２ｒを押下する。マイコン６１ａは、「温熱治療」ボタン２ｒの出力により、電気刺激及び温熱の発熱との指示を受けた場合であると判断し、まず、何の指定もなければフィルター方式のアドレスｇの情報をＲＯＭ６１ｂから読出し、かかる情報が、発熱部８１ａによる治療が１５［秒］で導子部による治療が４５［秒］という動作継続時間の情報である。さらに、マイコン６１ａは、出力に応じたアドレス番地を引数としてＲＯＭ６１ｂ上の情報を読み出す。マイコン６１ａは「温熱治療」ボタン２ｒの出力に応じたａ番地の情報をＲＯＭ６１ｂから読出し、４５［℃］の発熱部に関するマッサージ情報を発熱部信号生成部６１ｃｉに出力し、発熱部信号生成部６１ｃｉは４５［℃］の温熱信号をパッド８１の発熱部８１ａに出力し、発熱部８１ａは動作温度を４５［℃］として発熱する。ここで、先ほど読み出した動作継続時間が発熱部８１ａによる治療が１５［秒］であるので、動作温度を４５［℃］として１５［秒］間発熱し、この１５［秒］経過後４５［秒］間前記導子部８１ｂによる治療を行い、この４５［秒］経過後１５［秒］間前記発熱部８１ａによる治療を行う。このような治療を、導子部８１ｂの治療時間の間繰り返し行い、導子部８１ｂの治療時間の終了後、導子部８１ｂの治療は終了し、以後、導子部８１ｂの治療の指示があるまでは、発熱部８１ａの治療が再び「温熱治療」ボタン２ｒが押下されるまで行われる。
【００３５】
発熱部８１ａによる温熱の発熱を生じているときに電気刺激に関するスイッチ部２（「肩」ボタン２ｂ、「背」ボタン２ｃ等）を利用者が押下したときについて、これより説明する。施療者が被施療者の身体上へ組パッド８のパッド８１を貼着し、「温熱治療」ボタン２ｒを押下する。これにより、発熱部８１ａの治療が始まる。電源が入っていれば、「機能」ボタンは有効であり、施療者が「肩」ボタン２ｂを押下すると、肩周辺の身体表示情報をマイコン６１ａがＲＯＭ６１ｂより読出し液晶ディスプレイ１１に表示する。この液晶ディスプレイ１１での表示において、肩周辺の表示上に組パッド８のパッド８１をどの位置に貼るべきかの貼着位置を示し、さらに、「表示している貼着位置に組パッドを貼着し、開始ボタンを押下して下さい。」と表示されている。この表示に対応して、施療者が表示の貼着位置と同位置の被施療者の身体上へ組パッド８のパッド８１を貼着し直し、「開始／停止」ボタン２ｉを押下する。マイコン６１ａは、「肩」ボタン２ｂの出力により、電気刺激及び温熱の発熱との指示を受けた場合であると判断し、まず、何の指定もなければフィルター方式のアドレスｇの情報をＲＯＭ６１ｂから読出し、かかる情報が、発熱部８１ａによる治療が１５［秒］で導子部による治療が４５［秒］という動作継続時間の情報である。さらに、マイコン６１ａは、出力に応じたアドレス番地を引数としてＲＯＭ６１ｂ上の情報を読み出す。マイコン６１ａは「肩」ボタン２ｂの出力に応じたｅ番地からｇ番地までの情報をＲＯＭ６１ｂから読出し、４５［℃］の導子部８１ｂに関するマッサージ情報を導子部信号生成部６１ｃｉｉに出力し、導子部信号生成部６１ｃｉｉはたたきの治療信号をパッド８１の導子部８１ｂに出力し、導子部８１ｂはたたきの動作を行う。ここで、先ほど読み出した動作継続時間が発熱部８１ａによる治療が１５［秒］であるので、４５［秒］間前記導子部による治療を行い、この４５［秒］経過後１５［秒］間前記発熱部８１ａによる治療を行い、再び、４５［秒］間前記導子部８１ｂによる治療を行う。このような治療を、導子部８１ｂの治療時間の間繰り返し行い、導子部８１ｂの治療時間の終了後、導子部８１ｂの治療は終了し、以後、導子部８１ｂの治療の指示があるまでは、発熱部８１ａの治療が再び「温熱治療」ボタン２ｒが押下されるまで行われる。
【００３６】
このように本実施形態に係る低周波治療器によれば、発熱を生じる発熱部８１ａと電気刺激を与える導子部８１ｂとを有する組パッド８と、当該組パッド８の発熱部８１ａと導子部８１ｂとに治療用信号を生成する治療用信号生成部６１ｃを有する制御部６とを備え、治療用信号生成部６１ｃの治療用信号の出力により発熱部８１ａが動作温度の異なる少なくとも２種類の発熱をし、動作温度の高い発熱を温熱とし、動作温度の低い発熱をヒータとし、電気刺激及び温熱の発熱との指示を受けた場合に、電気刺激と温熱の発熱とを交互に動作させ、電気刺激及びヒータの発熱との指示を受けた場合に、電気刺激と温熱の発熱とを同時に動作させているので、常に、温熱の発熱と電気刺激とは同時になされることはなく、過剰な刺激となって怪我をすることなく被施療者にとって安全であり、施療者にとっても誤操作や確認ミスにより過剰な刺激となることがなく安心して他の作業を行うことができ、例えば、被施療者が老人で施療者がその老人の家族である場合には、施療者が手馴れていない場合など誤操作することがあり、また、寝たきりの老人であれば、一人で機器を止めることもできないが、過剰な刺激を被施療者に与えることがなく、安心して利用することができる。
【００３７】
なお、本実施形態に係る低周波治療器においては、動作継続時間の経過に従って、導子部８１ｂの動作継続時間が経過すれば発熱部８１ａの動作継続時間が始まり、導子部の治療から唐突に発熱の治療に切り替わっているが（図６（ｃ）に示すように、一点鎖線の部分で導子部８１ｂの治療が中止されていることがわかる）、導子部８１ｂの治療から発熱の治療に切り替わる場合に、電気刺激のないタイミング若しくは電気刺激の少ないタイミングで切り換えることもでき、これは導子部８１ｂの治療信号の電圧レベルが低いときに切り換えることで実現でき、電気刺激の刺激を被施療者が感じているときに切り替わることなく、より精確に過剰な刺激となることを防止することができる。
【００３８】
また、本実施形態に係る低周波治療器において、電気刺激や発熱を動作開始から徐々に刺激を増すようにするソフトスタートをすることもでき、体が電気刺激や発熱に馴れない場合に、過剰な刺激とならないようにすることができる。特に、導子部８１ｂによる治療から発熱部８１ａによる治療への切り換え、及び、発熱部８１ａによる治療からに導子部８１ｂによる治療への切り換えにおいて、電気刺激や発熱を切り換え開始から徐々に刺激を増すようにすることで、切り換え前の刺激が被施療者に残っている場合に、切り換え後の刺激と重畳して過剰な刺激となることを防止することができる。同様に、本実施形態に係る低周波治療器において、電気刺激や発熱を動作終了前から徐々に刺激を減るようにするソフトエンドをすることもでき、導子部８１ｂによる治療から発熱部８１ａによる治療への切り換え、及び、発熱部８１ａによる治療からに導子部８１ｂによる治療への切り換えにおいて、電気刺激や発熱を切り換え終了前から徐々に刺激を減るようにすることで、切り換え前の刺激が被施療者に残ることなく、切り換え後の刺激を受けることができ、過剰な刺激となることを防止することができる。さらには、ソフトスタートとソフトエンドとを組み合わせることで、より安全な施療を行うことができる。
【００３９】
また、本実施形態に係る低周波治療器において、導子部８１ｂによる治療から発熱部８１ａによる治療への切り換え、及び、発熱部８１ａによる治療からに導子部８１ｂによる治療への切り換えにおいて、切り換え前の治療と切り換え後の治療との間に治療を行わない時間を置いて切り換え後の治療をすることもでき、切り換え前の治療の刺激が残存している場合に、切り換え後の治療と重畳して過大な刺激となることを防止することができる。特に、温熱の発熱の刺激は、治療子が温熱の発熱により温度が高くなっておりその温度も一気に下がるわけでなく徐々に低下し温熱の発熱の動作終了しても暫くの間は所定温度以上となり継続して温熱の治療を受けていると被施療者が感じることがあるが、温熱の治療と電気刺激の治療との間に治療を行わない時間を置くことで、温熱の治療と電気刺激の治療とを同時になされることを完全に防止することができる。
【００４０】
また、本実施形態に係る低周波治療器においては、温熱の治療開始時は、パッド８１が温まっておらず、最初の温熱の動作継続時間で動作温度まで上昇することができない可能性があるが、最初の温熱は温熱の動作継続時間に拘束されることなく動作温度まで上昇して、導子部の治療に切り替わるとすることもでき、温熱の治療開始時から適切な温度での温熱の治療を受けることができる。
【００４１】
また、本実施形態に係る低周波治療器においては、図６に示すフィルター方式について使用動作を説明したが、前記した図８に示すアペンド方式を用いることもでき、アペンド方式は、導子部８１ｂに関するマッサージ情報と発熱部８１ａに関するマッサージ情報とを結合させて一連のマッサージ情報とし、順次、マッサージ情報を処理するものあり、予め、発熱部８１ａの治療及び導子部８１ｂの治療の工程が分かり、発熱部８１ａの治療も少なくとも一連のマッサージ情報に係る治療が終了すれば終了し、「温熱治療」ボタン２ｒを押下して温熱の治療を終了させる必要がない。必要であれば、一連のマッサージ情報を液晶ディスプレイに表示して治療の工程を使用者に知らせることもできる。
【００４２】
また、本実施形態に係る低周波治療器においては、温熱の動作温度及びヒータの動作温度が定めていたが、上限を設けることで使用者が温熱の動作温度及びヒータの動作温度を設定することもでき、被施療者の要求に合わせて適切な発熱部８１ａの治療を行うことができる。さらに、被施療者又は施療者毎に、書き換え可能な記録領域を割り当て、設定された温熱の動作温度及びヒータの動作温度を記録することもでき、それぞれの被施療者又は施療者毎に最適な発熱部８１ａの治療を行うことができる。
【００４３】
また、本実施形態に係る低周波治療器においては、２種類の動作温度の異なる発熱をできる構成としたが、複数種類の動作温度の異なる発熱をでき、電気刺激中に一の動作温度の発熱を行うように指示を受けた場合、一の動作温度の発熱中に電気刺激を行うように指示を受けた場合、若しくは、電気刺激と一の動作温度の発熱とを行うように指示を受けた場合に、一の動作温度が所定温度以上であったとき、電気刺激と一の動作温度の発熱とを交互に動作させる構成とすることもでき、例えば、電気刺激中に、使用者がダイヤルにより発熱の動作温度を任意に調整した場合に、指示された発熱の動作温度が所定以上となっとき、自動的に、電気刺激と発熱とが交互に動作され、電気刺激と発熱との併用した動作をして使用者の要求を満たしつつ、同時に、安全を確保することができる。
【００４４】
（本発明の第２の実施形態）
本発明の第２の実施形態に係る低周波治療器について図に基づいて説明する。図９は本実施形態に係る低周波治療器の液晶ディスプレイの表示の一態様図である。
本実施形態に係る低周波治療器は、前記第１の実施形態に係る低周波治療器と同様に構成され、電気刺激と温熱の発熱とを交互に動作させるとき、電気刺激の継続動作時間と発熱の継続動作時間とを調整する調整手段を備えることを異にする構成である。
【００４５】
この調整手段は、マイコン６１ａにより実装され、あるボタンと関連付いて利用者がそのボタンを調整することで、マイコン６１ａ上の調整手段がこの利用者の調整に応じて導子部８１ｂの継続動作時間と発熱部８１ａの継続動作時間とを調整する。あるボタンとは、例えば、「温熱治療」ボタン２ｒ及び「強さ」ダイヤル２ｍに関連づいて、「温熱治療」ボタン２ｒを長押しすることで、「強さ」ダイヤル２ｍが電気刺激の刺激の強さを調節するためのダイヤルから、導子部８１ｂの継続動作時間と発熱部８１ａの継続動作時間とを調整するためのダイヤルとなる。ここで、２つのボタンを利用して導子部８１ｂの継続動作時間と発熱部８１ａの継続動作時間とを調整するためのダイヤルを構成したが、１つのボタンを利用しても導子部８１ｂの継続動作時間と発熱部８１ａの継続動作時間とを調整するためのダイヤルとすることもでき、さらに、新たに、導子部８１ｂの継続動作時間と発熱部８１ａの継続動作時間とを調整するためのダイヤルを追加して設けてもよい。
【００４６】
導子部８１ｂの継続動作時間と発熱部８１ａの継続動作時間との調整は、導子部８１ｂの継続動作時間と発熱部８１ａの継続動作時間との和を１サイクル継続動作時間とし、予め低周波治療器に定めている発熱部８１ａの継続動作時間を５０［％］とし、この発熱部８１ａの継続動作時間を０［％］より大きく１００［％］未満に調整できるとし、調整した発熱部８１ａの継続動作時間で１サイクル継続動作時間を引くことで導子部８１ｂの継続動作時間として、実現することができる。ここでは、調整できる範囲を１００［％］に限定したが、発熱部８１ａの継続動作時間で１サイクル継続時間の略全てを満たすべく、１００［％］以上に調整できるという構成にすることもできる。
【００４７】
次に、本実施形態に係る低周波治療器の使用動作について説明する。以下の説明は電気刺激及び温熱の発熱との指示を受けた場合の使用動作について、特に、導子部８１ｂによる電気刺激を与えているときに「温熱治療」ボタン２ｒを利用者が押下したときに関するものである。例えば、「自動コース又は手動を、自動コースボタン又は「機能」ボタンを押下して選択して下さい。」との液晶ディスプレイ１１の表示を見て、施療者が「肩」ボタン２ｂを押下すると、肩周辺の身体表示情報をマイコン６１ａがＲＯＭ６１ｂより読出し液晶ディスプレイ１１に表示する。この液晶ディスプレイ１１での表示において、肩周辺の表示上に組パッド８のパッド８１をどの位置に貼るべきかの貼着位置を示し、さらに、「表示している貼着位置に組パッドを貼着し、開始ボタンを押下して下さい。」と表示されている。この表示に対応して、施療者が表示の貼着位置と同位置の被施療者の身体上へ組パッド８のパッド８１を貼着し、「開始／停止」ボタン２ｉを押下する。これにより、低周波治療が始まる。この後、導子部による治療である低周波治療中に、低周波治療施療者が、「温熱治療」ボタン２ｒを押下する。マイコン６１ａは、「温熱治療」ボタン２ｒの出力により、電気刺激及び温熱の発熱との指示を受けた場合であると判断し、まず、何の指定もなければフィルター方式のアドレスｇの情報をＲＯＭ６１ｂから読出し、かかる情報が、発熱部８１ａによる治療が１５［秒］で導子部８１ｂによる治療が４５［秒］という動作継続時間の情報である。さらに、マイコン６１ａは、出力に応じたアドレス番地を引数としてＲＯＭ６１ｂ上の情報を読み出す。マイコン６１ａは「温熱治療」ボタン２ｒの出力に応じたａ番地の情報をＲＯＭ６１ｂから読出し、４５［℃］の発熱部に関するマッサージ情報を発熱部信号生成部６１ｃｉに出力し、発熱部信号生成部６１ｃｉは４５［℃］の温熱信号をパッド８１の発熱部８１ａに出力し、発熱部は動作温度を４５［℃］として発熱する。ここで、先ほど読み出した動作継続時間が発熱部８１ａによる治療が１５［秒］であるので、動作温度を４５［℃］として１５［秒］間発熱し、この１５［秒］経過後４５［秒］間前記導子部８１ｂによる治療を行い、この４５［秒］経過後１５［秒］間前記発熱部８１ａによる治療を行う。このような治療を、導子部８１ｂの治療時間の間繰り返し行い、導子部８１ｂの治療時間の終了後、導子部８１ｂの治療は終了し、以後、導子部８１ｂの治療の指示があるまでは、発熱部８１ａの治療が再び「温熱治療」ボタン２ｒが押下されるまで行われる。これらの導子部８１ｂの治療と発熱部８１ａの治療とが交互に行われると同時に、液晶ディスプレイ１１に、図９に示すように「『温熱治療』ボタンを長押し後、『強さ』ダイヤルで継続動作時間の割合を変更することができます。」と表示される。使用者である施療者又は被施療者は、「温熱治療」ボタン２ｒを長押し、「強さ」ダイヤル２ｍを導子部８１ｂの継続動作時間と発熱部８１ａの継続動作時間とを調整するためのダイヤルとした上で、「強さ」ダイヤル２ｍを回転させ、導子部８１ｂの継続動作時間と発熱部８１ａの継続動作時間とを調整する。このダイヤルを調整中には、液晶ディスプレイ１１に導子部８１ｂの継続動作時間と発熱部８１ａの継続動作時間との割合を示すゲージが表示され（図９参照）、使用者はこのゲージを見ながら調整することができる。また、「強さ」ダイヤル２ｍをエンドレスボタン（ダイヤル）とし、精確な調整ができるようにすることもできる。
【００４８】
このように本実施形態に係る低周波治療器によれば、電気刺激と温熱の発熱とを交互に動作させるとき、導子部８１ｂの継続動作時間と発熱部８１ａの継続動作時間とを調整する調整手段を備えるので、使用者は調整手段に関連付いているダイヤル等を用いて容易に導子部８１ｂの継続動作時間と発熱部８１ａの継続動作時間とを調整することができ、電気刺激の治療と発熱の治療とを受けたい場合に、電気刺激の治療の割合を多くしたいとき、電気刺激の継続動作時間を長くすることで実現でき、他方で、温熱の治療の割合を多くしたいとき、発熱の継続動作時間を長くすることで実現き、利用者のニーズに合わせた治療を提供することができる。
【００４９】
（本発明の第３の実施形態）
本発明の第３の実施形態に係る低周波治療器について図１０に基づいて説明する。図１０は本実施形態に係る低周波治療器の液晶ディスプレイの表示の一態様図である。
本実施形態に係る低周波治療器は、前記第１の実施形態に係る低周波治療器と同様に構成され、発熱部８１ａが動作温度の異なる複数種類の発熱をし、発熱部の発熱設定状態に基づいて過剰な刺激とならない範囲で電気刺激するものである。
【００５０】
発熱設定状態は、発熱に関する使用者が設定した内容のことをいい、すなわち発熱に関し使用者がボタン、スイッチ等の入力手段により指示した内容のことをいう。より具体的には、前記「温熱治療」ボタン２ｒを押下して温熱治療を指示したこと、前記「ヒータ」ボタン２ｓを押下して保温を指示したこと、前記「予熱」ボタン２ｔを押下して予熱を指示したことを指す。また、発熱部８１ａの動作温度を変更できるダイヤルであった場合には、このダイヤルを用いて指定した動作温度を指示したことを指す。ここで、この発熱設定状態に基づき既に発熱の動作が行われている場合と、未だ発熱の動作が行われている場合とがある。
【００５１】
この発熱設定状態に基づいて電気刺激をするというのは、発熱設定状態に基づいて電気刺激と発熱とを同時に動作させること（図１０（ａ）参照）、発熱設定状態に基づいて電気刺激と発熱とを交互に動作させること（図６（ｂ）参照）、発熱設定状態に基づいて一部電気刺激と発熱とを同時に動作させること（図１０（ｂ）参照）、発熱設定状態に基づいて電気刺激の強さを変更して電気刺激を動作させること（図１０（ｃ）参照）をいう。以下それそれに場合について具体的に説明する。なお、既に、前記各実施形態において、発熱設定状態に基づいて電気刺激と発熱とを交互に動作させること、については説明しているので、それ以外についてのみ説明する。発熱設定状態に基づいて電気刺激と発熱とを同時に動作させることとは、例えば図１０（ａ）に示すように、導子部に関する治療用信号と発熱部に関する治療用信号とが同時に出力されるような動作が該当する。発熱設定状態に基づいて一部電気刺激と発熱とを同時に動作させることとは、例えば図１０（ｂ）に示すように、図中ｘの期間導子部に関する治療用信号と発熱部に関する治療用信号とが同時に出力されず、図中ｙの期間導子部に関する治療用信号と発熱部に関する治療用信号とが同時に出力されるような動作が該当する。発熱設定状態に基づいて電気刺激の強さを変更して電気刺激を動作させることとは、例えば図１０（ｃ）に示すように、発熱部に関する治療用信号の大きさに反比例した大きさの導子部に関する治療用信号を出力するような動作が該当する。
【００５２】
このような発熱設定状態に基づく電気刺激により、過剰な刺激とならない範囲で治療を行うことができる。すなわち、例えば、過剰な刺激とならない範囲であれば発熱設定状態に基づいて電気刺激と発熱とを同時に動作させ、この動作が過剰な刺激となってしまう場合には発熱設定状態に基づいて電気刺激の強さを変更して電気刺激を動作させ、この動作によっても過剰な刺激となってしまう場合には発熱設定状態に基づいて電気刺激と発熱とを交互に動作させ、この動作によっても過剰な刺激となってしまう場合には発熱設定状態に基づいて電気刺激の強さを変更して電気刺激を動作させるという構成にすることもできる。また、前記した各発熱設定状態に基づく電気刺激を組み合わせて動作させることもできる。
【００５３】
このように本実施形態に係る低周波治療によれば、発熱部８１ａが動作温度の異なる複数種類の発熱をし、発熱部の発熱設定状態に基づいて過剰な刺激とならない範囲で電気刺激しているので、使用者が自由に発熱を指示し、この指示に従った発熱部の発熱設定状態に基づいて、電気刺激と発熱とが同時に動作したり、電気刺激と発熱とが交互に動作したり、電気刺激と発熱とが一部同時に動作したり、電気刺激の強さが変化したりして、使用者の指示に出来る得るだけ沿って動作することができると共に、過剰な刺激を防止して安全性を担保することができる。
【００５４】
なお、本実施形態に係る低周波治療器において、発熱部の動作温度を連続的に変更できるダイヤル（すなわち、離散的にしか動作温度を変更できないダイヤルとは異なる）を設けた場合に、このダイヤルによって連続的に発熱設定状態が変更されたときに、この発熱設定状態に基づき電気刺激することもでき、連続した発熱設定状態が変更に対応して電気刺激も連続して変更しながら動作することができる。例えば、前記ダイヤルを用いて、発熱部の動作温度を４０［℃］から４５［℃］までに徐々に変更を指示した場合に、この発熱設定状態の連続した変更に対して、導子部に関する治療用信号の大きさを１００［％］から５０［％］までに変化させて動作させることができる。ここで、１００［％］とは、例えば、低周波治療器が基本とする導子部に関する治療用信号の大きさでもよいし、変更前の導子部に関する治療用信号の大きさであってもよい。
【００５５】
【発明の効果】
以上のように本発明においては、発熱部が動作温度の異なる複数種類の発熱をし、発熱部の発熱設定状態に基づいて過剰な刺激とならない範囲で電気刺激しているので、使用者が自由に発熱を指示し、この指示に従った発熱部の発熱設定状態に基づいて、電気刺激と発熱とが同時に動作したり、電気刺激と発熱とが交互に動作したり、電気刺激と発熱とが一部同時に動作したり、電気刺激の強さが変化したりして、使用者の指示に出来る得るだけ沿って動作することができると共に、過剰な刺激を防止して安全性を担保することができるという効果を奏する。
【００５６】
また、本発明においては、発熱を生じる発熱部と電気刺激を与える導子部とを有する施療子と、当該施療子の発熱部と導子部とに治療用信号を生成する治療用信号生成部とを備え、発熱部が動作温度の異なる少なくとも２種類の発熱をし、動作温度の高い発熱を第１の発熱とし、動作温度の低い発熱を第２の発熱とし、電気刺激中に第１の発熱を行うように指示を受けた場合、第１の発熱中に電気刺激を行うように指示を受けた場合、若しくは、電気刺激と第１の発熱とを行うように指示を受けた場合に、電気刺激と第１の発熱とを交互に動作させているので、複数の動作温度の発熱を使用者の選択に応じて被施療者が受けることができると共に、常に、使用者が操作して電気刺激中に第１の発熱を行うように指示した場合、第１の発熱中に電気刺激を行うように指示した場合、若しくは、電気刺激と第１の発熱とを行うように指示した場合であっても、第１の発熱と電気刺激との同時動作が自動的に回避され、過剰な刺激となって怪我をすることなく被施療者にとって安全であり、施療者にとっても誤操作や確認ミスにより過剰な刺激となることがなく安心して他の作業を行うことができ、例えば、被施療者が老人で施療者がその老人の家族である場合には、施療者が手馴れていない場合など誤操作することがあり、また、寝たきりの老人であれば、一人で機器を止めることもできないが、過剰な刺激を被施療者に与えることがなく、安心して利用することができるという効果を有する。
【００５７】
また、本発明においては、発熱部が動作温度の異なる複数種類の発熱をし、電気刺激中に一の動作温度の発熱を行うように指示を受けた場合、一の動作温度の発熱中に電気刺激を行うように指示を受けた場合、若しくは、電気刺激と一の動作温度の発熱とを行うように指示を受けた場合に、一の動作温度が所定温度以上であったとき、電気刺激と一の動作温度の発熱とを交互に動作させているので、使用者としては、操作して電気刺激中に一の動作温度の発熱を行うように指示した場合、一の動作温度の発熱中に電気刺激を行うように指示した場合、若しくは、電気刺激と一の動作温度の発熱とを行うように指示した場合であっても、なんら意識することなく、一の動作温度が所定以上であったとき、自動的に電気刺激と一の動作温度の発熱とが交互に動作され、どのような場合であっても、使用者の要求に応じて、過剰な刺激となることを防止しつつ、電気刺激と発熱とを併用して使用することができるという効果を有する。
【００５８】
また、本発明においては、前記電気刺激と発熱とを交互に動作させるとき、電気刺激の継続動作時間及び発熱の継続動作時間が１秒以上であるので、１秒未満であると電気刺激と発熱との１回の治療時間があまりにも短く、具体的には、電気刺激を受けこの刺激が残存している内に発熱の刺激がを受け、又は、発熱の刺激を受けこの刺激が残存している内に電気刺激を受け、すなわち電気刺激と発熱の刺激が被施療者にとって同時に受けることに等しくなり、結果的に刺激が過大になることを防止することができず、１秒以上であれば被施療者は切り替わる前の治療の刺激の影響を受けることなく切り替わった後の治療の刺激を受け刺激が過大となることがなく安全性を確保することができるという効果を有する。
【００５９】
また、本発明においては、前記電気刺激と発熱とを交互に動作させるとき、電気刺激の継続動作時間が発熱の継続動作時間以上であるので、電気刺激を受けたときその刺激は痛みを感じない限りは即座に消えてしまうのに比べ、発熱の刺激は痛みを感じなくとも暫くの間残存し、これは発熱の場合は施療子の温度が一気に低下するわけでなく徐々に低下し、所定レベル以下になるまでは施療者が発熱の刺激を感じるからであり、このように発熱の刺激は残存し電気刺激は残存しにくく電気刺激を発熱の継続動作時間より長くして長い間刺激することで被施療者は発熱の刺激と電気刺激とを平等に受けることができるという効果を有する。
【００６０】
また、本発明においては、前記電気刺激と発熱とを交互に動作させるとき、最初の発熱が動作温度に到達するまで継続して行われるので、電気刺激と発熱とを交互に動作させる前に発熱がなかった場合に、施療子は貼着直後であれば室温の温度と略同程度、又は、施療子が貼着されて暫く経過していれば体温と同程度であり、電気刺激と発熱とを交互に動作させるときで発熱を始めて行ったときにでも施療子を動作温度まで上昇させることができ、交互に動作させる開始直後から円滑に温熱治療を行うことができるという効果を有する。
【００６１】
また、本発明においては、電気刺激と発熱とを交互に動作させるとき、電気刺激の継続動作時間と発熱の継続動作時間とを調整する調整手段を備えるので、使用者は調整手段に関連付いているダイヤル等を用いて容易に電気刺激の継続動作時間と発熱の継続動作時間とを調整することができ、電気刺激の治療と発熱の治療とを受けたい場合に、電気刺激の治療の割合を多くしたいとき、電気刺激の継続動作時間を長くすることで実現でき、他方で、治療の割合を多くしたいとき、発熱の継続動作時間を長くすることで実現き、利用者の多様なニーズに合わせた治療を提供することができるという効果を有する。
【図面の簡単な説明】
【図１】本発明の第１の実施形態に係る低周波治療器の蓋部が閉じた状態の斜視図である。
【図２】本発明の第１の実施形態に係る低周波治療器の蓋部が開いた状態の斜視図である。
【図３】本発明の第１の実施形態に係る低周波治療器の背面斜視図である。
【図４】本発明の第１の実施形態に係る低周波治療器のスイッチ部の正面図である。
【図５】本発明の第１の実施形態に係る低周波治療器の制御部のブロック構成図である。
【図６】本発明の第１の実施形態に係る低周波治療器のフィルター方式適用の波形図である。
【図７】本発明の第１の実施形態に係る低周波治療器のＲＯＭの記憶内容模式図である。
【図８】本発明の第１の実施形態に係る低周波治療器のアペンド方式適用の波形図である。
【図９】本発明の第２の実施形態に係る低周波治療器の液晶ディスプレイの表示の一態様図である。
【図１０】本発明の第３の実施形態に係る低周波治療器の波形図である。
【図１１】従来の低周波治療器のブロック構成図である。
【符号の説明】
１  蓋部
１１  液晶ディスプレイ
２  スイッチ部
２ａ  「電源入／切」ボタン
２ｂ  「肩」ボタン
２ｃ  「背」ボタン
２ｄ  「腰」ボタン
２ｅ  「腕・脚」ボタン
２ｆ  「関節」ボタン
２ｇ  「マイメモリー」ボタン
２ｈ  「機能」ボタン
２ｉ  「開始／停止」ボタン
２ｊ  「一時停止」ボタン
２ｋ  「ロック」ボタン
２ｌ  「１５分／３０分」ボタン
２ｍ、２ｍＡ、２ｍＢ  「強さ」ダイヤル
２ｎ  「極性切替」ボタン
２ｏ  「連続／断続」ボタン
２ｐ  「メモリー」ボタン
２ｑ  「速さ」ボタン
２ｒ  「温熱治療」ボタン
２Ｒ  温熱ＬＥＤランプ
２ｓ  「ヒータ」ボタン
２Ｓ  ヒータＬＥＤランプ
２ｔ  「予熱」ボタン
２Ｔ  予熱ＬＥＤランプ
２ｕ  「入／切」ボタン
２ｖ  「強／弱」ボタン
２ｗ  「１５分／３０分」ボタン
３  収納部
３１  マグネット
４  ＡＣアダプター
４１  ＡＣアダプタージャック
４２  直流ジャック
４３  供給口ジャック
４４  直流ケーブル
５  ＡＣアダプター収納部
５１  ツマミ
５２  スライダー
５３  蓋
５４  仕切り
５５  ツマミ穴
６  制御部
６１  回路基盤
６１ａ  マイコン
６１ｂ  ＲＯＭ
６１ｃ  治療用信号生成部
６１ｃｉ            発熱部信号生成部
６１ｃｉｉ  導子部信号生成部
６１ｄ  電気回路
６２  スイッチ用基盤
７  電源ケーブル
７１  電源プラグ
７２  ケーブル
７３  ＡＣアダプタープラグ
８  組パッド
８１  パッド
８１ａ  発熱部
８１ｂ  導子部
８２  治療用信号コード
８３  パッドプラグ
８４  替パッド
８５  コードリール
８５ａ  貼着部
８５ｂ  リール部
９  ジャック
１０  接続ＬＥＤランプ
１１  温熱治療ＬＥＤランプ
１６１ａ  発熱制御回路
１６１ｂ  治療電流発生回路
１６１ｃ  制御回路
１８１ａ  発熱体
【図１】
2005065732.tif 000003
【図２】
2005065732.tif 000004
【図３】
2005065732.tif 000005
【図４】
2005065732.tif 000006
【図５】
2005065732.tif 000007
【図６】
2005065732.tif 000008
【図７】
2005065732.tif 000009
【図８】
2005065732.tif 000010
【図９】
2005065732.tif 000011
【図１０】
2005065732.tif 000012
【図１１】
2005065732.tif 000013